(57)【要約】【課題】  ケーブルクランプ（ケーブルグランド部）を筐体に固定するための固定力が低下してしまうことを抑制する。【解決手段】  ケーブルグランド部７を筐体３に対して回転可能とするフリーテンションパーツ１１を設ける。これにより、ケーブル５に作用する捻り力がケーブルクランプ１と筐体３との固定部１１Ａに作用することがフリーテンションパーツ１１にて回避されるので、ケーブルクランプ１を筐体３に固定するための固定力が低下してしまうことを防止できる。【選択図】  図３
2012102792.tif 000002
【特許請求の範囲】
【請求項１】
筐体に設けられた貫通穴に装着され、ケーブルを保持するケーブルクランプであって、
ケーブルが挿入される挿入穴を有するとともに、挿入されたケーブルを挟持するクランプ部が設けられたケーブルグランド部と、
前記貫通穴に装着固定された固定部、及び前記ケーブルグランド部と連結され、かつ、前記固定部に対して回転変位可能な回転連結部を有して構成された回転連結部材と
を備えることを特徴とするケーブルクランプ。
【発明の詳細な説明】
【技術分野】
【０００１】
本発明は、筐体に設けられた貫通穴に挿通されるケーブルを保持するためのケーブルクランプに関するものである。
【背景技術】
【０００２】
例えば、特許文献１に記載のケーブルクランプでは、ケーブルが挿入される挿入穴をケーブルグランド部に設け、このケーブルグランド部に雄ねじ部を設けるとともに、ナット部を雄ねじ部に締め込むことにより、ナット部とケーブルグランド部とで筐体を挟み込んでケーブルクランプを筐体に固定している。
【０００３】
そして、一般的なケーブルクランプでは、円筒状のスリーブが挿入穴に装着されており、ナット状のキャップを締め込むようにしてスリーブの先端側を絞ってケーブルをケーブルグランド部に挟持固定している。
【先行技術文献】
【特許文献】
【０００４】
【特許文献１】特開２００１−２１０６６号公報
【発明の概要】
【発明が解決しようとする課題】
【０００５】
しかし、ケーブルがケーブルグランド部（ケーブルクランプ）に固定された状態で保持されているため、例えばケーブルに捻り力が作用すると、ナット部とケーブルグランド部とのネジ結合が緩んでしまい、ケーブルクランプ（ケーブルグランド部）を筐体に固定するための固定力が低下してしまう可能性がある。
【０００６】
本発明は、上記点に鑑み、ケーブルクランプ（ケーブルグランド部）を筐体に固定するための固定力が低下してしまうことを抑制することを目的とする。
【課題を解決するための手段】
【０００７】
上記目的を達成するために、請求項１に記載の発明では、筐体（３）に設けられた貫通穴（３Ａ）に装着され、ケーブル（５）を保持するケーブルクランプであって、ケーブル（５）が挿入される挿入穴（７ａ）を有するとともに、挿入されたケーブル（５）を挟持するクランプ部（７Ｃ）が設けられたケーブルグランド部（７）と、貫通穴（３Ａ）に装着固定された固定部（１１Ａ）、及びケーブルグランド部（７）と連結され、かつ、固定部（１１Ａ）に対して回転変位可能な回転連結部（１１Ｂ）を有して構成された回転連結部材（１１）とを備えることを特徴とする。
【０００８】
これにより、請求項１に記載の発明では、ケーブル（５）に作用する捻り力が回転連結部材（１１）により吸収されるので、ケーブルクランプを筐体（３）に固定するための固定力が低下してしまうことを防止できる。
【０００９】
因みに、上記各手段等の括弧内の符号は、後述する実施形態に記載の具体的手段等との対応関係を示す一例であり、本発明は上記各手段等の括弧内の符号に示された具体的手等に限定されるものではない。
【図面の簡単な説明】
【００１０】
【図１】本発明の第１実施形態に係るケーブルクランプの正面図である。
【図２】本発明の第１実施形態に係るケーブルクランプの分解斜視図である。
【図３】本発明の第１実施形態に係るケーブルクランプの断面図である。
【図４】本発明の第１実施形態に係るケーブルクランプの効果を説明するための図である。
【図５】本発明の第１実施形態に係るケーブルクランプの効果を説明するための図である。
【図６】本発明の第２実施形態に係るケーブルクランプの正面図である。
【発明を実施するための形態】
【００１１】
本実施形態は、気密性及び水密性が求められる筐体に本発明に係るケーブルクランプを適用した例である。以下に本発明の実施形態を図面と共に説明する。
１．ケーブルクランプ１の構成
ケーブルクランプ１は、図１に示すように、筐体３の隔壁に設けられた筐体内外を貫通する貫通穴３Ａ（図３参照）に嵌め込まれた状態で筐体３に組み付けられ、このケーブルクランプ１により、電気ケーブル等のケーブル５が保持される。
【００１２】
また、ケーブルクランプ１は、図２に示すように、ケーブル５を挟持（保持）するためのケーブルグランド部７、ケーブルグランド部７のうち筐体３外に露出した部位の少なくとも一部を覆う取外防止カバー９、ケーブルグランド部７を筐体３に対して回転可能とするフリーテンションパーツ１１、及びケーブルグランド部７（ケーブルクランプ１）を筐体３に組み付けるための取付部１３等から構成されている。
【００１３】
そして、ケーブルグランド部７は、ケーブル５が挿入される挿入穴７ａが設けられた本体部７Ａを有しており、この本体部７Ａ（挿入穴７ａ）には、ノイズフィルタ７Ｂ、及びケーブル５を挟持するためのクランプ機構７Ｃが挿入・装着されている。
【００１４】
ノイズフィルタ７Ｂは、図３に示すように、ケーブル５が挿入可能な円筒状であり、その外周面には、本体部７Ａに対してノイズフィルタ７Ｂが回転することを防止する位置決め突起７ｂが設けられている。
【００１５】
なお、ノイズフィルタ７Ｂは、フェライト等の磁性材料にて構成されたもので、ケーブル５を介して伝達される電気信号に電気ノイズが畳重し、又はケーブル５から電気ノイズが発信してしまうことを抑制する。
【００１６】
クランプ機構７Ｃは、ゴム等の軟質な樹脂にて構成され、かつ、ケーブル５が挿入される円筒状の本体パッキン７Ｄ、本体パッキン７Ｄの外周側に覆うようにして本体パッキン７Ｄをケーブル５に押し付ける円筒状の固定爪７Ｅ、及び本体部７Ａに設けられた雄ネジ部に締め込まれるナットキャップ７Ｆ等から構成されている。
【００１７】
そして、固定爪７Ｅの軸方向端部のうちナットキャップ７Ｆ側には、図２に示すように、軸方向に沿って本体部７Ａ側に延びる複数本のスリット（切り欠き部）７Ｇが設けられ、固定爪７Ｅの軸方向端部のうちナットキャップ７Ｆ側の外形寸法は、固定爪７Ｅの軸方向端部のうち本体部７Ａ側の外形寸法に比べて大きくなっている。
【００１８】
このため、ナットキャップ７Ｆを本体部７Ａに締め込んでいくと、固定爪７Ｅの軸方向端部のうちナットキャップ７Ｆ側（以下、この部位を爪部という。）が内方側に変位し、本体パッキン７Ｄをケーブル５側に押圧するので、図３に示すように、本体パッキン７Ｄ及び爪部が窄まるように弾性変形してケーブル５が挟持される。
【００１９】
また、フリーテンションパーツ１１は、筐体３の貫通穴３Ａに装着固定された固定部１１Ａ、及びケーブルグランド部７（本体部７Ａ）と連結され、かつ、固定部１１Ａに対して回転変位可能な回転連結部１１Ｂを有して構成されている。
【００２０】
そして、固定部１１Ａの円筒部１１Ｃの外周面には、その全周に亘って径方向外側に突出するフランジ状の鍔部１１Ｄが設けられ、一方、回転連結部１１Ｂのうち円筒部１１Ｃの外周側を覆うように設けられた円筒部１１Ｅの内周側には、鍔部１１Ｄと摺動可能に係合する係合片１１Ｆが設けられている。
【００２１】
また、回転連結部１１Ｂは、本体部７Ａに設けられた雄ねじ部にネジ結合することにより本体部７Ａ（ケーブルグランド部７）と一体的化されているため、ケーブルクランプ１を貫通穴３Ａに対して回転させるような張力がケーブル５に作用すると、回転連結部１１Ｂがケーブルグランド部７と共に固定部１１Ａに対して回転することにより、固定部１１Ａに回転力が作用することが回避される。
【００２２】
なお、パッキン１５は気密性及び水密性を保持するためのリンク状の部材である。因みに、固定部１１Ａと回転連結部１１Ｂとの間には、パッキンに相当する部品が設けられていないが、この部位は、迷路構造（ラビリンス構造）となっているので、メカニカルシール効果を得ることができ、必要にして十分な気密性及び水密性を得ることができる。
【００２３】
また、取付部１３は、貫通穴３Ａの径方向に弾性的に変位可能な係合爪部１３Ａを筐体３に係合させることにより、ケーブルグランド部７（フリーテンションパーツ１１を含む。）を筐体３に係止固定するワンタッチ装着パーツであり、この取付部１３は、固定部１１Ａ（フリーテンションパーツ１１）に設けられた雄ねじ部にネジ結合されている。
【００２４】
また、取外防止カバー９は袋状に形成されているとともに、そのナットキャップ７Ｆ側の開口部縁には、内方側に突出した係止爪９Ａが設けられており、この係止爪９Ａが設けられた部位には、係止爪９Ａを弾性変位可能するためのスリット（切り欠き）９Ｂ（図１参照）が設けられている。
【００２５】
２．本実施形態に係るケーブルクランプの特徴
取外防止カバー９が取り外された状態では、図４に示すように、ナットキャップ７Ｆが露出した状態となるので、一般ユーザが誤ってナットキャップ７Ｆ（ケーブルグランド部７）に触れてしまい、ケーブルクランプ１の組み付け不良が発生してしまうおそれがある。
【００２６】
これに対して、本実施形態では、ケーブルグランド部７のうち筐体３外に露出した部位の少なくとも一部が、グランド部カバーをなす取外防止カバー９により覆われているので、一般ユーザが誤ってナットキャップ７Ｆ（ケーブルグランド部７）に触れてしまい、ケーブルクランプ１の組み付け不良が発生してしまうおそれが殆ど無い。
【００２７】
また、ケーブル５がケーブルグランド部７に固定された状態で保持されているため、例えばケーブル５に捻り力が作用すると、ケーブルクランプ１（ケーブルグランド部７）を筐体３に固定するための固定力が低下してしまうおそれがある。
【００２８】
これに対して、本実施形態では、ケーブル５に作用する捻り力が、回転連結部材を成すフリーテンションパーツ１１にて吸収されるので、ケーブルクランプ１を筐体３に固定するための固定力が低下してしまうことを防止できる。
【００２９】
また、取付部１３は、貫通穴３Ａの径方向に弾性的に変位可能な係合爪部１３Ａを筐体３に係合させることにより、ケーブルクランプ１を筐体３に係止固定するので、ケーブルクランプ１を貫通穴３Ａに対して一方向から嵌め込むのみでケーブルクランプ１を筐体３に組み付けることができる。したがって、ケーブルクランプ１の組み付け作業性を向上させることができる。
【００３０】
また、取付部１３は本体部７Ａにネジ結合されているので、ユーザは、後述する取付ナットにてケーブルクランプ１を筐体３に組み付ける場合と、取付部１３にてケーブルクランプ１を筐体３に組み付ける場合と容易に選択することができる。
【００３１】
また、本実施形態では、図５に示すように、フリーテンションパーツ１１及びナットキャップ７Ｆ等の外周面に六角状の二面幅が設けられているので、特殊な工具を用いることなく、スパナ等にてケーブルクランプ１を筐体３に組み付けることができる。
【００３２】
また、本実施形態では、ケーブルクランプ１内にノイズフィルタ７Ｂが内蔵されているので、別途、ノイズフィルタを設けることなく、電気ノイズの影響を抑制することができる。
【００３３】
（第２実施形態）
本実施形態は、取付部１３に代えて、図６に示すように、取付ナット１７にて筐体３を固定部１１Ａと協働して挟み込むようにしてケーブルクランプ１を貫通穴３Ａに固定するものである。
【００３４】
（その他の実施形態）
上述の実施形態に係るケーブルクランプ１では、全ての部品１〜１５を樹脂製としたが、本発明はこれに限定されるものではない。
【００３５】
また、上述の実施形態では、ノイズフィルタ７Ｂをケーブルクランプ１に内蔵したが、本発明はこれに限定されるものではない。
また、上述の実施形態では、取付部１３を本体部７Ａに着脱自在な構成としたが、本発明はこれに限定されるものではなく、本体部５に弾性的に変位可能な係合爪部１３Ａを設けてもよい。
【００３６】
また、上述の実施形態では、固定部１１Ａと回転連結部１１Ｂとの間にパッキンが設けられていなかったが、この部位に、ペースト状のパッキンや所定形状に成形したパッキン等を配設することにより気密性及び水密性を更に向上させてもよい。
【００３７】
また、本発明は、特許請求の範囲に記載された発明の趣旨に合致するものであればよく、上述の実施形態に限定されるものではない。
【符号の説明】
【００３８】
１…ケーブルクランプ、３…筐体、３Ａ…貫通穴、５…ケーブル、
７…ケーブルグランド部、７Ａ…本体部、７Ｂ…ノイズフィルタ、
７Ｃ…クランプ機構、７Ｄ…本体パッキン、７Ｅ…固定爪、７Ｆ…ナットキャップ、
７ａ…挿入穴、７ｂ…位置決め突起、９…取外防止カバー、９Ａ…係止爪、
１１…フリーテンションパーツ、１１Ａ…固定部、１１Ｂ…回転連結部、
１１Ｃ…円筒部、１１Ｄ…鍔部、１１Ｅ…円筒部、１１Ｆ…係合片、
１３…取付部、１３Ａ…係合爪部、１５…パッキン、１７…取付ナット。
【図１】
2012102792.tif 000003
【図２】
2012102792.tif 000004
【図３】
2012102792.tif 000005
【図４】
2012102792.tif 000006
【図５】
2012102792.tif 000007
【図６】
2012102792.tif 000008